(57)【要約】【課題】アスファルトタンクの使用切り換え時に異種類のアスファルトの混じり合いを極力少なくしてアスファルト混合物の品質に悪影響を及ぼすことがないようにしたアスファルトプラントのアスファルト供給設備を提供する。【解決手段】アスファルトタンクＡ、Ｂ、Ｃからアスファルトを供給するメイン供給管２を設置し、該メイン供給管２に正逆回転自在のポンプ３を配置する。アスファルトタンクの取り出し管４ａ、４ｂ、４ｃをポンプ３の上流側側近に方向切換弁５ａ、５ｂを介在させながらそれぞれ接近させて接続する共に、アスファルトタンクの戻り配管６ａ、６ｂ、６ｃをポンプ３の下流側に方向切換弁７ａ、７ｂ、７ｃを介在させて接続する。アスファルトタンクの使用切り換え時に最大で図のＺの範囲の異種のアスファルトが混じることになるが、その量は極めて少ない。【選択図】  図４
2004225252.tif 000002
【特許請求の範囲】
【請求項１】
複数基設置したアスファルトタンクの所望のタンクからアスファルトを取り出してプラント本体へと供給するアスファルトプラントのアスファルト供給設備において、アスファルトをプラント本体に供給するメイン供給管を配設し、該メイン供給管に正逆回転自在のアスファルト供給用のポンプを設置し、各アスファルトタンクの取り出し管を前記ポンプの上流側側近に方向切換弁を介在させながらそれぞれ接近させて接続する共に、各アスファルトタンクへの戻り管をポンプの下流側に方向切換弁を介在させて接続したことを特徴とするアスファルトプラントにおけるアスファルト供給設備。
【発明の詳細な説明】
【０００１】
【発明の属する技術分野】
本発明は、道路舗装材であるアスファルト混合物を製造するアスファルトプラントのプラント本体に溶融アスファルトを供給するアスファルト供給設備に関する。
【０００２】
【従来の技術】
アスファルトプラントには複数基のアスファルトタンクと供給手段とより成るアスファルト供給設備が設置され、アスファルト混合物製造時に所望のアスファルトタンクよりアスファルトを取り出してプラント本体に供給し、プラント本体のミキサ内に投入して他の素材と混合して所望のアスファルト混合物を製造している。最近では特殊なアスファルト混合物も製造されるようになり、使用されるアスファルトの種類も増加し、アスファルトタンクには異種類のアスファルトが貯蔵されることがある。
【０００３】
図６乃至図８は、従来のアスファルト供給設備を示す平面図であって、三基のアスファルトタンクＡ、Ｂ、Ｃを設置した例を示し、三種類のアスファルトが貯蔵可能であり、アスファルトをプラント本体２０に供給するメイン供給管２１と、メイン供給管２１に設置したポンプ２２の下流側に方向切換弁２３を介在させてアスファルトを循環させるためのメイン戻り管２４とを備えている。そして、アスファルトタンクＡの取り出し管２５ａをメイン供給管２１に、戻り管２６ａをメイン戻り管２４に接続すると共に、他のアスファルトタンクＢ、Ｃの取り出し管２５ｂ、２５ｃを方向切換弁２７ｂ、２７ｃを介在させてポンプ２２の上流側のメイン供給管２１に接続する一方、戻り管２６ｂ、２６ｃを方向切換弁２８ｂ、２８ｃを介在させてメイン戻り管２４に接続している。このとき、ポンプ２２、方向切換弁２７ｂ、２７ｃは図に示すようにそれぞれ間隔をあけて設置している。また、メイン供給管２１の先端はアスファルト混合物の素材の貯蔵、計量、混合機能を有したプラント本体２０まで延長され、計量弁２９を介してプラント本体２０に装備したアスファルト計量槽３０に接続されている。
【０００４】
そして、アスファルトタンクＡからアスファルトを供給するときには、方向切換弁２３、２７ｂ、２７ｃ、２８ｂ、２８ｃの流れ方向を図６に示すように切り換えてからポンプ２２を回転駆動し、アスファルトタンクＡのアスファルトをプラント本体２０へと供給し、計量弁２９を開放してアスファルト計量槽３０にて所定量計量する。アスファルトの計量が完了すれば、計量弁２９を閉じると共に、方向切換弁２３を図７に示すように切り換え、メイン戻り管２４を経由させてアスファルトをアスファルトタンクＡに戻し、循環させながら次回の計量を待つ。そして次の計量開始となれば、方向切換弁２３を再度、図６に示すように切り換えてアスファルト計量槽３０にアスファルトを供給する。このアスファルトの供給と循環とを繰り返しながらアスファルト混合物を製造している。
【０００５】
次に、特殊なアスファルト混合物を製造することとなってアスファルトタンクＢのアスファルトを使用するとなると、切換弁２７ｂ、２８ｂを図８に示すように切り換えてポンプ２２を回転駆動させると、アスファルトタンクＢからアスファルトが取り出されてメイン供給管２１を経由してアスファルト計量槽３０に供給される。このとき、図中のＸで示す範囲のメイン供給管２１内に残留する前回使用した異種のアスファルトを押し出してアスファルト計量槽３０に供給することとなり、異種類のアスファルトがアスファルト混合物に混入することとなる
【０００６】
また、アスファルト計量完了後、方向切替弁２３をメイン戻り管２４側に通じるように切り換えてアスファルトをアスファルトタンクＢに循環させるが、このときに図８のＹで示す範囲のメイン戻り管２４内に残留する前回使用した異種のアスファルトがアスファルトタンクＢに戻され、タンク内にて異種類のアスファルトが混じり合うことなる。
【０００７】
【発明が解決しようとする課題】
上記のように、従来のアスファルト供給設備では、アスファルトタンクに種類の異なるアスファルトを貯蔵していれば、アスファルトタンクの使用切り換え時に配管中に前回使用時の異種のアスファルトが残留することとなり、この異種のアスファルトがアスファルト計量槽にて混じり合ったり、またアスファルトタンクに異種のアスファルトが混入するなどの不具合が生じ、アスファルト混合物の品質に悪影響を及ぼす可能性があった。
【０００８】
本発明は上記の点に鑑み、アスファルトタンクの使用切り換え時に異種類のアスファルトの混じり合いを極力少なくしてアスファルト混合物の品質に悪影響を及ぼすことがないようにしたアスファルトプラントのアスファルト供給設備を提供することを課題とする。
【０００９】
【課題を解決するための手段】
上記の課題を解決するために、本発明のアスファルトプラントのアスファルト供給設備にあっては、複数基設置したアスファルトタンクの所望のタンクからアスファルトを取り出してプラント本体へと供給するアスファルトプラントのアスファルト供給設備において、アスファルトをプラント本体に供給するメイン供給管を配設し、該メイン供給管に正逆回転自在のアスファルト供給用のポンプを設置し、各アスファルトタンクの取り出し管を前記ポンプの上流側側近に方向切換弁を介在させながらそれぞれ接近させて接続する共に、各アスファルトタンクへの戻り管をポンプの下流側に方向切換弁を介在させて接続したことを特徴としている。
【００１０】
【発明の実施の形態】
本発明に係わるアスファルトプラントのアスファルト供給設備によれば、アスファルト供給用の正逆回転自在のポンプを配置したメイン供給管を配設し、該メイン供給管に設置したポンプの上流側側近に複数のアスファルトタンクの取り出し管を方向切換弁を介在させながら接続すると共に、ポンプの下流側に各アスファルトタンクへの戻り管を方向切換弁を介在させて接続する。このとき、ポンプ上流側の各方向切換弁はポンプに接近させて取り付けることによって、アスファルトタンクの使用切換時にポンプと上流側の各方向切換弁間の配管中に残留するアスファルト量を極力少なくできる。これによって、アスファルトタンクの使用を切り換えて他種類のアスファルトを供給しても配管中に残留する前回使用の異種のアスファルトの量は少ないので、製造するアスファルト混合物の品質に大きな影響を及ぼさない。
【００１１】
また、従来のメイン戻り管をなくしてメイン供給管に各アスファルトタンクの戻り管を直接接続したので、アスファルトタンクの使用切り換え後、計量待機中にアスファルトをアスファルトタンクへと循環させても戻り配管中に異種類のアスファルトが存在せず、異種類のアスファルトをタンクに混入させることはない。
【００１２】
【実施例】
以下、本発明の実施例を図１乃至図５に基づいて説明する。
【００１３】
アスファルト供給設備１には、異種類のアスファルトが貯蔵可能な複数のアスファルトタンクＡ、Ｂ、Ｃが設置される。また、各アスファルトタンク内のアスファルトを供給するためのメイン供給管２を配設すると共に、メイン供給管２には正逆回転自在のアスファルト供給用のポンプ３を配置する一方、メイン供給管２の先端はアスファルト混合物の素材の貯蔵、計量、混合機能を有したプラント本体２０まで延長され、計量弁２９を介してアスファルト計量槽３０内に臨ませている。
【００１４】
アスファルトタンクＡ、Ｂ、Ｃの取り出し管４ａ、４ｂ、４ｃはメイン供給管２に配置したポンプ３の上流側側近に方向切換弁５ａ、５ｂを介在させて接続される。また、アスファルトタンクＡ、Ｂ、Ｃの戻り管６ａ、６ｂ、６ｃはメイン供給管２のポンプ３の下流側に方向切換弁７ａ、７ｂ、７ｃを介在させて接続される。なお、方向切換弁５ａ、５ｂは、ポンプ３の上流側に極力接近して配置すれば、アスファルトの使用切り換え時にポンプ３と各方向切換弁間の配管内に残留するアスファルトを極力少なくできて好ましい。
【００１５】
次に、前記構成のアスファルト供給設備においてアスファルトの供給、切り換えを行うときの様子について説明する。先ず、アスファルトタンクＣからアスファルトを供給するときには、方向切換弁５ａ、５ｂ、７ａ、７ｂ、７ｃの流れ方向を図１に示すように切り換え、ポンプ３を正回転駆動してアスファルトをアスファルト計量槽３０に供給し、所定量計量する。アスファルトの計量が完了すれば、計量弁２９を閉じると共に、方向切換弁７ｃを図２に示すように切り換え、戻り管６ｃを経由させてアスファルトをアスファルトタンクＣに戻して循環させながら次回の計量を待つ。そして次回の計量開始となれば、再度、方向切換弁７ｃを図１に示すように切り換えてアスファルト計量槽３０にアスファルトを供給する。この供給、循環を繰り返しながらアスファルト混合物を製造する。
【００１６】
次に、アスファルトタンクＡの使用に切り換えて種類の異なるアスファルト混合物を製造するときには、先ず、計量弁２９に至るメイン配管２中に残留するアスファルトを回収するために、方向切換弁７ｃを図３に示すように切り換えた後、ポンプ３を逆回転させながら計量弁２９を開放し、メイン供給管２内に残留するアスファルトを回収する。この回収操作によって、ポンプ３から計量弁２９に至る配管中のアスファルトは回収することができるが、ポンプ３からアスファルトタンクＣに至る配管内にはアスファルトが残留することとなる。
【００１７】
前記回収完了後、アスファルトタンクＡのアスファルトを供給するときには、方向切換弁５ａ、５ｂ、７ａ、７ｂ、７ｃを図４に示すように切り換えてからポンプ３を正回転させ、アスファルトタンクＡの取り出し管６ａからアスファルトを取り出してメイン供給管２を経由してアスファルト計量槽３０に供給する。このとき、図４のＺで示す範囲に残留する異種のアスファルトを押し出してアスファルト計量槽３０に供給することとなる。したがって、方向切換弁５ａ、５ｂをポンプ３に接近して配置しておけば、Ｚの範囲に残留するアスファルト量も少なく、アスファルト混合物の品質に大きな影響を与えることがなくて好ましい。
【００１８】
また、アスファルト計量後、図５に示すように方向切換弁７ａを戻り管６ａ側に切り換えてアスファルトタンクＡにアスファルトを戻して循環させることとなるが、戻り管６ａには異種のアスファルトが存在することはなく、アスファルトタンクＡに異種のアスファルトが混じり込むことはない。
【００１９】
なお、アスファルトタンクＢからアスファルトを供給するときには、ポンプ３から方向切替弁５ｂの間の配管に残留する異種のアスファルトが混入するが、方向切換弁５ｂをポンプに接近させて配置しておけばその量も少ないものとなる。
【００２０】
このように、本発明では、アスファルトタンクの使用切り換え時に、ポンプ３から上流側の方向切換弁５ａに至るメイン供給管４内に残留するアスファルトが異種のアスファルトと混ざり合う可能性があるが、方向切換弁５ａ、５ｂをポンプ３に接近して配置しておけば、混ざり合う量も少なくて製造するアスファルト混合物の品質に影響を及ぼすことは極力避けることができる。また、従来はアスファルト循環時にメイン戻り管にて異種のアスファルトが混ざり合うこととなっていたが、このメイン戻り管をなくしてメイン供給管に各タンクＡ、Ｂ、Ｃの戻り管６ａ、６ｂ、６ｃを直接接続したので、戻り配管中に異種のアスファルトが混入することはなく、アスファルト循環時に異種のアスファルトが混ざり合ってアスファルトタンクに回収されることもなく、アスファルト混合物の品質に影響を与えることはない。
【００２１】
【発明の効果】
以上のように本発明に係るアスファルトプラントにおけるアスファルト供給設備によれば、複数基設置したアスファルトタンクの所望のタンクからアスファルトを取り出してプラント本体へと供給するアスファルトプラントのアスファルト供給設備において、アスファルトをプラント本体に供給するメイン供給管を配設し、該メイン供給管に正逆回転自在のアスファルト供給用のポンプを設置し、各アスファルトタンクの取り出し管を前記ポンプの上流側側近に方向切換弁を介在させながらそれぞれ接近させて接続する共に、各アスファルトタンクへの戻り管をポンプの下流側に方向切換弁を介在させて接続したので、アスファルトタンクの使用切り換え時に異種類のアスファルトの混ざり合いを少なくでき、アスファルト混合物の品質に悪影響を及ぼすことを極力回避できる。
【図面の簡単な説明】
【図１】本発明に係るアスファルトプラントにおけるアスファルト供給設備の一実施例を示す平面図である。
【図２】図１のアスファルトを循環している状態を説明する図である。
【図３】図１のポンプを逆回転させてアスファルトを回収している状態を説明する図である。
【図４】図１の他のアスファルトタンクからアスファルトを供給する状態を説明する図である。
【図５】図４のアスファルトを循環している状態を説明する図である。
【図６】従来のアスファルトプラントにおけるアスファルト供給設備の一実施例を示す平面図である。
【図７】図６のアスファルトを循環している状態を説明する図である。
【図８】図６の他のアスファルトタンクからアスファルトを供給する状態を説明する図である。
【符号の説明】
１…アスファルト供給設備            ２…メイン供給管
３…アスファルト供給用ポンプ        ４ａ、４ｂ、４ｃ…取り出し管
５ａ、５ｂ、５ｃ、７ａ、７ｂ、７ｃ…方向切換弁
６ａ、６ｂ、６ｃ…戻り管          ２０…プラント本体
２９…計量弁                      ３０…アスファルト計量槽
Ａ、Ｂ、Ｃ…アスファルトタンク
【図１】
2004225252.tif 000003
【図２】
2004225252.tif 000004
【図３】
2004225252.tif 000005
【図４】
2004225252.tif 000006
【図５】
2004225252.tif 000007
【図６】
2004225252.tif 000008
【図７】
2004225252.tif 000009
【図８】
2004225252.tif 000010